(57)【要約】      （修正有）【課題】組立・収納が簡単で経済性に優れた組立式安眠ボックスを提供する。【解決手段】下方に所定の開口３を有する前板２と、これに対向する背板４と、前板及び背板にそれぞれ接続された左側板６及び右側板７と、取り外し可能な上蓋５とを備えた組立式安眠ボックス１である。前板と左側板及び右側板及び背板と左側板及び右側板はそれぞれ順折となるように接続されるとともに、左側板及び右側板は２枚の板に分割されており、分割された２枚の板は、逆折部８、９でそれぞれ逆折となるように接続されている。【選択図】    図１
0003221719.tif 000002
【実用新案登録請求の範囲】
【請求項１】
下方に所定の開口を有する前板と、これに対向する背板と、前板及び背板にそれぞれ接続された左側板及び右側板と、取り外し可能な上蓋とを備えた組立式安眠ボックスであって、
該前板と左側板及び右側板及び該背板と左側板及び右側板はそれぞれ順折となるように接続されるとともに、左側板及び右側板は２枚の板に分割されており、分割された２枚の板は、それぞれ逆折となるように接続されていることを特徴とする組立式安眠ボックス。
【請求項２】
上記前板、背板、左側板及び右側板は、ダンボール材で構成されていることを特徴とする請求項１に記載の組立式安眠ボックス。
【請求項３】
上記前板、背板、右側板及び左側板の各板は、ダンボール材で６面を囲った薄い箱状のもので構成され、内部に断熱防音マットが埋め込まれていることを特徴とする請求項１に記載の組立式安眠ボックス。
【請求項４】
上記上蓋は、２枚の板に分割されており、２枚の板は折曲自在となるように接続されていることを特徴とする請求項１ないし請求項３のいずれか１項に記載の組立式安眠ボックス。
【請求項５】
上記前板は幅Ｗの矩形の板からなり、背板の高さをＨとし、左右の側板の幅をＤとしたとき、前板の幅Ｗは、数式  Ｈ−Ｄ／２  で算出された数値以下であることを特徴とする請求項４に記載の組立式安眠ボックス。
【考案の詳細な説明】
【技術分野】
【０００１】
本考案は、組立式安眠ボックスに関する。
【背景技術】
【０００２】
就寝時などに十分な睡眠を確保するために、防音・遮光効果のある安眠ボックスが提案されている。（例えば、特許文献１ないし特許文献３参照）
安眠ボックスは、頭部を含む上体部にボックスを被せてボックス内を暗く保つことにより、安眠できるようにするものである。また、遮音性も併せ持つために、避難場所などで、周囲の騒音にかかわらず安眠を確保できる利点がある。さらに、本人の鼾などによる周囲への迷惑を有効に防止できる。
【０００３】
従来の安眠ボックスは、装置が大掛かりでコスト高であるばかりでなく、設置が困難・収納が困難等の問題があった。
例えば特許文献１に開示の床置きタイプの安眠ボックスでは、裁頭錐台形状を維持するためのフレームとシートあるいは布を必要としている。また不要時に折りたたむことはできるが装置が大掛かりとなっている。
また、特許文献２、３に開示の安眠ボックスでも、安眠ボックスの骨格と覆布を必要とする複雑な構造となっている。
【先行技術文献】
【特許文献】
【０００４】
【特許文献１】実開平２−８２９５４号公報
【特許文献２】特開平２−２０９１５８号公報
【特許文献３】特開平２−２９５５１４号公報
【考案の概要】
【考案が解決しようとする課題】
【０００５】
本考案は従来の組立式安眠ボックスの問題点を解決し、組立・収納が簡単で経済性に優れた組立式安眠ボックスを提供することを課題とする。
【課題を解決するための手段】
【０００６】
本考案の上記課題を解決するための手段は、次のとおりである。
（１）下方に所定の開口を有する前板と、これに対向する背板と、前板及び背板にそれぞれ接続された左側板及び右側板と、取り外し可能な上蓋とを備えた組立式安眠ボックスであって、
前板と左側板及び右側板及び背板と左側板及び右側板はそれぞれ順折となるように接続されるとともに、左側板及び右側板は２枚の板に分割されており、分割された２枚の板は、それぞれ逆折となるように接続されていることを特徴とする組立式安眠ボックス。
（２）上記前板、背板、左側板及び右側板は、ダンボール材で構成されていることを特徴とする（１）に記載の組立式安眠ボックス。
（３）上記前板、背板、右側板及び左側板の各板は、ダンボール材で６面を囲った薄い箱状のもので構成され、内部に断熱防音マットが埋め込まれていることを特徴とする（１）に記載の組立式安眠ボックス。
（４）上記上蓋は、２枚の板に分割されており、２枚の板は折曲自在となるように接続されていることを特徴とする（１）ないし（３）のいずれかに記載の組立式安眠ボックス。
（５）上記前板は幅Ｗの矩形の板からなり、背板の高さをＨとし、左右の側板の幅をＤとしたとき、前板の幅Ｗは、数式  Ｈ−Ｄ／２  で算出された数値以下であることを特徴とする（４）に記載の組立式安眠ボックス。
【考案の効果】
【０００７】
本考案に係る組立式安眠ボックスによれば、次のような効果が得られる。
（１）組立・収納が簡単で経済性に優れた組立式安眠ボックスが得られる。
（２）ダンボール材の板を使用しているため、環境性に優れるとともに軽量かつ経済性に優れた組立式安眠ボックスが得られる。さらに、ダンボール材の色は、暖色系であるため、睡眠リズムを安定させる効果がある。
（３）左右の側板を２枚の板に分割し、逆折となるように接続させたため、組立式安眠ボックスをコンパクトに収納できる。
【図面の簡単な説明】
【０００８】
【図１】本考案に係る組立式安眠ボックスの斜視図である。
【図２】本考案に係る組立式安眠ボックスの折り畳み時の上面図である。
【考案を実施するための形態】
【０００９】
本考案に係る組立式安眠ボックスの実施例を例示して、本考案について以下詳細に説明する。
本考案に係る組立式安眠ボックスは、下方に所定の開口を有する前板と、これに対向する背板と、前板及び背板にそれぞれ接続された左側板及び右側板と、取り外し可能な上蓋とを備えている。
前板と左側板及び右側板、背板と左側板及び右側板は、内側に折り曲げて収納可能とするために、それぞれ接着テープ等により順折となるように接続されている。そして、上蓋と合わせて、底板のないボックスを構成している。
【００１０】
（実施例）
図１は、本考案に係る組立式安眠ボックス１の斜視図である。
図１において、２は幅Ｗの組立式安眠ボックス１の前板である。前板の下方には、身体の頭部が出し入れできる開口３が設けられている。図１の開口は全開しているが、両側が残った半開であってもよい。また、開口をアーチ形にしてもよい。
組立式安眠ボックス１には、前板２に対向して背板４が設けられている。
【００１１】
図１において、５は組立式安眠ボックスの上蓋である。上蓋５は、１枚板で構成してもよいが、２枚の板で構成するのが好ましい。図１の斜視図では、折部１０で分割された２枚の板が折曲自在となるように接続されていて、組立式安眠ボックスの収納時には、折部１０で折り畳むことができる。
【００１２】
図１において、６は組立式安眠ボックス１の左側板、７は、組立式安眠ボックス１の右側板である。左側板及び右側板はそれぞれ２枚の板に分割されており、逆折部８、９で逆折となるように接続されている。そして、組立式安眠ボックスの収納時には、逆折部８、９で、逆折りしてそれぞれ内側に折り畳むことができる。
【００１３】
図２は、本考案に係る組立式安眠ボックスの、折り畳み時の上面図である。安眠ボックスは、背板４を下側にして、その上に折り畳まれた左側板６及び右側板７が重なり、さらにその上に前板２が重畳される。
【００１４】
上蓋５は、１枚板の場合には背板４の下側に収納される。
上蓋５が図１のように、２枚の板に分割して構成できる場合には、折部１０で折り返し、折り畳まれた左側板６及び右側板７の上によりコンパクトに収納可能である。
【００１５】
前板２は幅Ｗの矩形の板からなり、背板４の高さをＨとし、左側板６及び右側板７の幅をＤとしたとき、前板の幅Ｗを、数式  Ｈ−Ｄ／２  で算出された数値以下とした場合には、前板と折り畳まれた上蓋の双方を左側板６及び右側板７の上に効率よく収納することができる。
【００１６】
（ダンボール材）
本考案に係る組立式安眠ボックスでは、前板、背板、左側板及び右側板を、ダンボール材で構成するのが好ましい。ダンボール材を採用することにより環境性に優れるとともに軽量かつ経済性に優れた組立式安眠ボックスが得られる。
前板２をダンボール板２枚重ねとすることにより、組立式安眠ボックスの補強につながるとともに、折り畳んだ上蓋とともに面一となる利点がある。このため、多数の組立式安眠ボックスを効率よく積み重ねて収納することができる。
【００１７】
組立式安眠ボックスをダンボール材で構成する場合、２枚の板に分割される左側板６、右側板７及び上蓋５は、それぞれ逆折部もしくは折部で、折り重ねる側の表紙のみを残してダンボール材の芯を裁断し、逆折部もしくは折部の両面を接着テープ等で補強する。これにより、逆折部もしくは折部を強化できるとともに、逆折部もしくは折部で確実に折り畳むことができる。
したがって、組立式安眠ボックスを簡単かつコンパクトに収納できる。
【００１８】
また、前板及び背板をそれぞれ左側板及び右側板に接続する場合でも同様に、順折りする折部で、折り重ねる側の表紙のみを残してダンボール材の芯を裁断し、折部の両面を接着テープ等で補強する。これにより、折部を強化できるとともに、折部で確実に折り畳むことができる。
【００１９】
前板、背板、右側板及び左側板の各板を、ダンボール材で６面を囲った薄い箱状のもので構成することもできる。
さらに、内部に断熱防音材を埋め込むことにより、組立式安眠ボックスの遮光性・防音性をより高めることができる。
内部に埋め込む断熱防音材として、紙を解繊したセルローズファイバーが主成分の断熱防音マットを使用するのが好ましい。
【００２０】
（本考案の技術的範囲）
以上、本考案に係る組立式安眠ボックスについて好適な実施例を例示して説明したが、この実施例は、本考案の技術的範囲を限定するものではなく、実用新案登録請求の範囲に記載された本考案の要旨を逸脱しない範囲内で各種の変更や修正を加えることができることは、言うまでもないことである。
【符号の説明】
【００２１】
１  組立式安眠ボックス
２  前板
３  開口
４  背板
５  上蓋
６  左側板
７  右側板
８  逆折部
９  逆折部
１０  折部
【図１】
0003221719.tif 000003
【図２】
0003221719.tif 000004